(57)【要約】本発明は、携帯電子装置と通信を行う周辺装置へテキストを伝達する装置、その方法及びコンピュータプログラムに関する。ここで、携帯電子装置は通信端末又はメディアプレーヤ等であり、周辺装置は「ハンズフリー」装置等である。テキストに対応する文字データがイメージデータへ変換される。イメージデータは携帯電子装置から周辺装置へ転送され、転送されたイメージデータに応じて周辺装置に表示が行われる。周辺装置のディスプレイの特性が特定され、テキストに対応する文字データのイメージデータへの変換には、特定された特性に基づいて文字データへ変換する工程が含まれる。
2008521079.tif 000002
【特許請求の範囲】
【請求項１】
携帯電子装置と通信を行う周辺装置にテキストを伝達するための方法であって、
前記テキストに対応する文字データをイメージデータに変換する工程と、
前記携帯電子装置から前記周辺装置に前記イメージデータを送信する工程と
を含む方法。
【請求項２】
前記テキストに対応する文字データをイメージデータに変換する工程に先だって、前記周辺装置のディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項１に記載の方法。
【請求項３】
前記周辺装置のディスプレイの特性を特定する工程は、前記携帯電子装置と前記周辺装置との間の無線通信リンクを介して、該携帯電子装置の特性に関連付けられた情報を受信する工程を含むことを特徴とする請求項２に記載の方法。
【請求項４】
通信端末と通信を行う周辺装置にテキストを伝達するための方法であって、
前記テキストに対応する文字データをイメージデータに変換する工程と、
前記通信端末から前記周辺装置に前記イメージデータを送信する工程と
を含むことを特徴とする方法。
【請求項５】
前記送信されたイメージデータから前記周辺装置のディスプレイにイメージを生成する工程をさらに含むことを特徴とする請求項４に記載の方法。
【請求項６】
前記イメージデータは、ビットマップ及びグラフィック標準データセットの少なくとも１つを含むことを特徴とする請求項４に記載の方法。
【請求項７】
前記テキストに対応する文字データをイメージデータに変換する工程に先立って、前記ディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項４に記載の方法。
【請求項８】
前記周辺装置のディスプレイの特性を特定する工程は、前記通信端末と前記周辺装置との間の無線通信リンクを介して、該通信端末で特性に関連付けられた情報を受信する工程を含むことを特徴とする請求項７に記載の方法。
【請求項９】
前記特性に関連付けられた情報は、前記ディスプレイの位置、大きさ、性能及び環境の少なくとも１つに関係することを特徴とする請求項８に記載の方法。
【請求項１０】
前記通信端末から前記周辺装置に前記イメージデータを送信する工程は、前記通信端末と前記周辺装置との間の無線通信リンクを介して前記イメージデータを送信する工程を含むことを特徴とする請求項４に記載の方法。
【請求項１１】
前記テキストが呼情報であることを特徴とする請求項４に記載の方法。
【請求項１２】
ディスプレイを備え、かつ、携帯メディアプレーヤ装置と通信を行う周辺装置にテキストを伝達するための方法であって、
前記テキストに対応する文字データをイメージデータに変換する工程と、
前記携帯メディアプレーヤ装置から前記周辺装置に前記イメージデータを送信する工程と
を含むことを特徴とする方法。
【請求項１３】
前記送信されたイメージデータから前記周辺装置のディスプレイにイメージを生成する工程をさらに含むことを特徴とする請求項１２に記載の方法。
【請求項１４】
前記イメージデータは、ビットマップ及びグラフィック標準データセットの少なくとも１つを含むことを特徴とする請求項１２に記載の方法。
【請求項１５】
前記テキストに対応する文字データをイメージデータに変換する工程に先だって、前記周辺装置のディスプレイの特性を特定する工程を含み、
前記テキストに対応する文字データをイメージデータに変換する工程は、前記特定された特性に基づいて前記文字データをイメージデータに変換する工程を含むことを特徴とする請求項１２に記載の方法。
【請求項１６】
前記周辺装置のディスプレイの特性を特定する工程は、前記携帯メディアプレーヤ装置と前記周辺装置との間の無線通信リンクを介して、該携帯メディアプレーヤ装置の特性に関連付けられた情報を受信する工程を含むことを特徴とする請求項１５に記載の方法。
【請求項１７】
前記特性に関連付けられた情報は、前記ディスプレイの位置、大きさ、性能及び環境の少なくとも１つに関係することを特徴とする請求項１６に記載の方法。
【請求項１８】
前記携帯メディアプレーヤ装置から前記周辺装置に前記イメージデータを送信する工程は、前記携帯メディアプレーヤと前記周辺装置との間の無線通信リンクを介して前記イメージデータを送信する工程を含むことを特徴とする請求項１２に記載の方法。
【請求項１９】
前記テキストがメディアコンテンツ識別情報を含むことを特徴とする請求項１２に記載の方法。
【請求項２０】
携帯電子装置であって、
テキストに対応する文字データをイメージデータに変換するためのテキスト−イメージ変換器と、
前記携帯電子装置から周辺装置に前記イメージデータを送信するための通信回路と
を備えることを特徴とする携帯電子装置。
【請求項２１】
前記イメージデータは、ビットマップ及びグラフィック標準データセットの少なくとも１つを含むことを特徴とする請求項２０に記載の携帯電子装置。
【請求項２２】
前記テキスト−イメージ変換器は、さらに、前記周辺装置のディスプレイの特性を特定し、かつ、特定された特性に基づいて前記文字データをイメージデータに変換するように動作することを特徴とする請求項２０に記載の携帯電子装置。
【請求項２３】
無線端末であって、
テキストに対応する文字データをイメージデータに変換するためのテキスト−イメージ変換器と、
前記無線端末から周辺装置に前記イメージデータを送信するための通信回路と
を備えることを特徴とする無線端末。
【請求項２４】
前記イメージデータは、ビットマップ及びグラフィック標準データセットの少なくとも１つを含むことを特徴とする請求項２３に記載の無線端末。
【請求項２５】
前記テキスト−イメージ変換器は、さらに、前記周辺装置のディスプレイの特性を特定し、かつ、特定された特性に基づいて前記文字データをイメージデータに変換するように動作することを特徴とする請求項２３に記載の無線端末。
【請求項２６】
前記通信回路は、さらに、
前記無線端末と前記周辺装置との間の無線通信リンクを介して前記無線端末の特性に関連付けられた情報を受信し、前記情報を前記テキスト−イメージ変換器に提供するように動作することを特徴とする請求項２５に記載の無線端末。
【請求項２７】
前記特性に関連付けられた情報は、前記ディスプレイの位置、大きさ、性能及び環境の少なくとも１つに関係することを特徴とする請求項２６に記載の無線端末。
【請求項２８】
前記通信回路は、
前記無線端末と前記周辺装置との間の無線リンクをサポートすることを特徴とする請求項２３に記載の無線端末。
【請求項２９】
前記テキストが呼情報を含むことを特徴とする請求項２３に記載の無線端末。
【請求項３０】
携帯メディアプレーヤ装置であって、
テキストに対応する文字データをイメージデータに変換するためのテキスト−イメージ変換器と、
前記携帯メディアプレーヤ装置から周辺装置に前記イメージデータを送信するための通信回路と
を備えることを特徴とする携帯メディアプレーヤ装置。
【請求項３１】
前記イメージデータは、ビットマップ及びグラフィック標準データセットの少なくとも１つを含むことを特徴とする請求項３０に記載の携帯メディアプレーヤ装置。
【請求項３２】
前記テキスト−イメージ変換器は、さらに、前記周辺装置のディスプレイの特性を特定し、かつ、特定された特性に基づいて前記文字データをイメージデータに変換するように動作することを特徴とする請求項３０に記載の携帯メディアプレーヤ装置。
【請求項３３】
前記通信回路は、さらに、
前記携帯メディアプレーヤ装置と前記周辺装置との間の無線通信リンクを介して前記携帯メディアプレーヤ装置の特性に関連付けられた情報を受信し、前記情報を前記テキスト−イメージ変換器に提供するように動作することを特徴とする請求項３２に記載の無線端末。
【請求項３４】
前記特性に関連付けられた情報は、前記ディスプレイの位置、大きさ、性能及び環境の少なくとも１つに関係することを特徴とする請求項３３に記載の携帯メディアプレーヤ装置。
【請求項３５】
前記通信回路は、
前記携帯メディアプレーヤ装置と前記周辺装置との間の無線リンクをサポートすることを特徴とする請求項３０に記載の携帯メディアプレーヤ装置。
【請求項３６】
前記テキストがメディアコンテンツ識別情報を含むことを特徴とする請求項３０に記載の無線端末。
【請求項３７】
携帯電子装置のための周辺装置であって、
ディスプレイと、
前記携帯電子装置からイメージデータを受信するための通信回路と、
前記ディスプレイ及び前記通信回路と連携して動作し、前記受信したイメージデータに応じてイメージをディスプレイに表示するための表示制御装置と
を備えることを特徴とする周辺装置。
【請求項３８】
前記通信回路は、さらに、
前記ディスプレイの特性に関連付けられた情報を前記携帯電子装置に送信するように動作することを特徴とする請求項３７に記載の周辺装置。
【請求項３９】
通信端末のための周辺装置であって、
ディスプレイと、
前記通信端末からイメージデータを受信するための通信回路と、
前記ディスプレイ及び前記通信回路と連携して動作し、前記受信したイメージデータに応じてイメージをディスプレイに表示するための表示制御装置と
を備えることを特徴とする周辺装置。
【請求項４０】
前記イメージデータは、ビットマップ及びグラフィック標準データセットの少なくとも１つを含むことを特徴とする請求項３９に記載の周辺装置。
【請求項４１】
前記通信回路は、さらに、
前記ディスプレイの特性に関連付けられた情報を前記通信端末に送信するように動作することを特徴とする請求項３９に記載の周辺装置。
【請求項４２】
前記特性は、ディスプレイの位置、大きさ、性能及び環境の少なくとも１つに関係することを特徴とする請求項４１に記載の周辺装置。
【請求項４３】
前記通信回路は、
前記通信端末と前記周辺装置との間の無線通信リンクをサポートすることを特徴とする請求項３９に記載の周辺装置。
【請求項４４】
携帯メディアプレーヤ装置のための周辺装置であって、
ディスプレイと、
前記携帯メディアプレーヤ装置からイメージデータを受信するための通信回路と、
前記ディスプレイ及び前記通信回路と連携して動作し、前記受信したイメージデータに応じてイメージをディスプレイに表示するための表示制御装置と
を備えることを特徴とする周辺装置。
【請求項４５】
前記イメージデータは、ビットマップ及びグラフィック標準データセットの少なくとも１つを含むことを特徴とする請求項４４に記載の周辺装置。
【請求項４６】
前記通信回路は、さらに、
前記ディスプレイの特性に関連付けられた情報を前記携帯メディアプレーヤ装置に送信するように動作することを特徴とする請求項４４に記載の周辺装置。
【請求項４７】
前記特性は、ディスプレイの位置、大きさ、性能及び環境の少なくとも１つに関係することを特徴とする請求項４６に記載の周辺装置。
【請求項４８】
前記通信回路は、
前記携帯メディアプレーヤ装置と前記周辺装置との間の無線通信リンクをサポートすることを特徴とする請求項４４に記載の周辺装置。
【請求項４９】
携帯電子装置の周辺装置をサポートするためのコンピュータで実行可能なコンピュータプログラムであって、
テキストをイメージデータに変換する工程と、
前記携帯電子装置から前記周辺装置へ前記イメージデータを送信する工程と
を含むことを特徴とするコンピュータプログラム。
【請求項５０】
前記周辺装置のディスプレイの特性を特定する工程をさらに含み、
前記テキストをイメージデータに変換する工程は、前記特定された特性に基づいて前記文字データをイメージデータに変換する工程を含むことを特徴とする請求項４９に記載のコンピュータプログラム。
【請求項５１】
前記イメージデータは、ビットマップ及びグラフィック標準データセットの少なくとも１つを含むことを特徴とする請求項５０に記載のコンピュータプログラム。
【請求項５２】
通信端末の周辺装置をサポートするためのコンピュータで実行可能なコンピュータプログラムであって、
テキストをイメージデータに変換する工程と、
前記通信端末から前記周辺装置へ前記イメージデータを送信する工程と
を含むことを特徴とするコンピュータプログラム。
【請求項５３】
前記イメージデータは、ビットマップ及びグラフィック標準データセットの少なくとも１つを含むことを特徴とする請求項５２に記載のコンピュータプログラム。
【請求項５４】
前記周辺装置のディスプレイの特性を特定する工程を含み、
前記テキストをイメージデータに変換する工程は、前記特定された特性に基づいて前記文字データをイメージデータに変換する工程を含むことを特徴とする請求項５２に記載のコンピュータプログラム。
【請求項５５】
携帯メディアプレーヤ装置の周辺装置をサポートするコンピュータで実行可能なコンピュータプログラムであって、
テキストをイメージデータに変換する工程と、
前記携帯メディアプレーヤ装置から前記周辺装置へ前記イメージデータを送信する工程と
を含むことを特徴とするコンピュータプログラム。
【請求項５６】
前記イメージデータは、ビットマップ及びグラフィック標準データセットの少なくとも１つを含むことを特徴とする請求項５５に記載のコンピュータプログラム。
【請求項５７】
前記周辺装置のディスプレイの特性を特定する工程をさらに含み、
前記テキストをイメージデータに変換する工程は、前記特定された特性に基づいて前記文字データをイメージデータに変換する工程を含むことを特徴とする請求項５５に記載のコンピュータプログラム。
【請求項５８】
携帯電子装置と通信を行う周辺装置でテキストを表示するための方法であって、
前記テキストに対応する文字データをイメージデータに変換する工程と、
前記携帯電子装置から前記周辺装置に前記イメージデータを送信する工程と、
前記送信されたイメージデータに基づいて前記周辺装置のディスプレイにテキストイメージを生成する工程と
を含むことを特徴とする方法。
【請求項５９】
前記テキストに対応する文字データをイメージデータに変換する工程に先立って、前記ディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項５８に記載の方法。
【請求項６０】
前記携帯電子装置は音楽プレーヤを含み、前記テキストはメディアコンテンツ情報を含むことを特徴とする請求項５８に記載の方法。
【発明の詳細な説明】
【技術分野】
【０００１】
本発明は一般に電子装置に関し、より詳細には周辺装置をサポートする装置、方法及びコンピュータプログラムに関する。
【背景技術】
【０００２】
通信端末装置には、装置利用者へ情報を提示するために使われるディスプレイ（表示装置）を備えるものが多い。例えば、携帯電話機は、呼の状態、発呼者識別番号（ＩＤ）及び他の呼に関する情報を提示するためのディスプレイを含む。
【０００３】
そのようなディスプレイはまた、通信端末と接続して使用される周辺装置に具備されてもよい。例えば、携帯電話機とともに使用される「ハンズフリー」装置は、発呼者ＩＤ及び他の情報の少なくとも一方を表示するために使用されるディスプレイを備えてもよい。このような装置では、発呼者ＩＤの文字に対応する一連の文字インデックスで携帯電話機から周辺装置へ発呼者ＩＤが転送されることがある。文字セット（文字集合）における文字のグラフィック特性が周辺装置に格納されてもよく、転送されたインデックスと格納されたグラフィック特性に基づいて表示情報が生成されてもよい。そのような表示能力を持つハンズフリー装置の例には、ソニーエリクソン社のＨＢＨ−２００ヘッドセットがある。
【発明の開示】
【発明が解決しようとする課題】
【０００４】
世界中の異なる言語に対して異なる文字セット、例えば、漢字、タイ文字、ローマ字、キリル文字、及びアラビア文字セットが使用される。これらの文字セットには非常に大容量のものもある。したがって、広範な言語に利用可能であるためには、周辺装置は膨大な量の文字セットのグラフィックデータを格納する能力を必要としうる。しかし、そのような記憶容量を周辺装置に設けることは、実現可能でなかったり、費用対効果が良くなかったりする場合もある。さらに、通信端末での表示と同じ方法で文字を表示するのに必要とされうるテキスト処理を実行するための十分な処理能力を周辺装置に持たせることが、実現可能でなかったり、費用対効果が良くなかったりする場合もある。
【課題を解決するための手段】
【０００５】
本発明の一の実施形態によれば、テキストは、通信端末又はメディアプレーヤ等の携帯電子装置と通信を行う周辺装置へ伝達される。テキストに対応する文字データがイメージデータへ変換され、それが携帯電子装置から周辺装置へ転送される。テキストに対応する文字データのイメージデータへの変換に先立って、周辺装置のディスプレイの特性が特定されてもよい。また、文字データのイメージデータへの変換が、特定された特性に基づいて文字データをイメージデータへ変換する工程を含んでもよい。本発明は、装置、方法及びコンピュータプログラムとして実施されうる。
【０００６】
本発明の一の実施形態によれば、テキスト（例えば、発呼者ＩＤ等の呼情報）は、通信端末（例えば、携帯電話機）から周辺装置（例えば、ハンズフリー装置）へ伝達される。通信端末では、テキストに対応する文字データがイメージデータへ変換される。通信端末は、例えば、無線、有線又は光リンクを使って、イメージデータを周辺装置へ転送する。周辺装置は、転送されたイメージデータからイメージを周辺装置のディスプレイに生成（表示）する。イメージデータは、ビットマップ、及び、ＪＰＥＧ又はＧＩＦファイル等のグラフィック標準データの少なくとも１つを含んでもよい。
【０００７】
本発明の他の実施形態によれば、文字データのイメージデータへの変換に先立って、ディスプレイの特性が特定される。文字データテキストのイメージデータへの変換が、特定された特性に基づいて文字データをイメージデータへ変換する工程を含んでもよい。ディスプレイの特性を特定する工程は、通信端末と周辺装置との間の無線通信リンクを介して、通信端末の特性に関する情報を受信する工程を含んでもよい。特性に関する情報が、ディスプレイの位置、大きさ、性能及び環境の少なくとも１つに関係してもよい。
【０００８】
本発明のさらに他の実施形態によれば、無線端末は、テキストに対応する文字データをイメージデータに変換するためのテキスト−イメージ変換器、及びイメージデータを無線端末から周辺装置へ転送するための通信回路を含む。イメージデータはビットマップ及びグラフィック標準データセットの少なくとも１つを含んでもよい。テキスト−イメージ変換器はさらに、ディスプレイの特性の特定及び特定された特性に基づいて文字データのイメージデータへの変換を行うように動作してもよい。通信回路は、無線端末と周辺装置との間の無線通信リンクを介して無線端末の特性に関連付けられた情報を受信し、その情報をテキスト−イメージ変換器に与えてもよい。
【０００９】
さらに他の実施形態によれば、通信端末の周辺装置は、ディスプレイと、イメージデータを通信端末から受信するための通信回路と、ディスプレイ及び通信回路と連携して動作し、イメージデータの受信に応じてイメージをディスプレイに表示する表示制御装置とを含む。イメージデータはビットマップ及びグラフィック標準データセットの少なくとも１つを含んでもよい。通信回路はディスプレイの特性に関する情報を通信端末に転送してもよい。その情報はディスプレイの、位置、大きさ、性能及び環境の少なくとも１つに関係していてもよい。
【００１０】
本発明のさらなる特徴によれば、通信端末の周辺装置をサポートするためのコンピュータプログラムが提供される。コンピュータプログラムは、コンピュータで読み取り可能な記憶媒体に具現されたコンピュータ・プログラム・コードを含む。コンピュータ・プログラム・コードは、テキストをイメージデータに変換するためのコード、及び通信端末から周辺装置へのイメージデータの転送を行うためのコードを含む。コンピュータ・プログラム・コードはさらに、ディスプレイの特性を特定するためのコードを含んでもよい。テキストをイメージデータに変換するためのコードは、特定された特性に基づいてテキストをイメージデータに変換するためのコードを含んでもよい。
【００１１】
本発明の一の実施形態によれば、メディアコンテンツ情報等のテキストを、携帯音楽プレーヤ等の携帯メディアプレーヤ装置と通信を行う周辺装置へ伝達する方法が提供される。その方法は、テキストに対応する文字データを、ビットマップ及びグラフィック標準データセットの少なくとも１つのイメージデータへ変換する工程、及び携帯メディアプレーヤ装置から周辺装置へイメージデータを転送する工程を含む。その方法はさらに、転送されたイメージデータから周辺装置のディスプレイへ表示するイメージを生成する工程を含んでもよい。
【００１２】
さらに他の実施形態では、テキストに対応する文字データのイメージデータへの変換に先立ってディスプレイの特性が特定され、特定された特性に基づいて文字データをイメージデータへ変換する工程を含む。ディスプレイの特性を特定する工程は、携帯メディアプレーヤ装置と周辺装置との間の無線通信リンクを介して携帯メディアプレーヤ装置の特性に関連付けられた情報を受信する工程を含む。特性に関連付けられた情報は、例えばディスプレイの位置、大きさ、性能及び環境の少なくとも１つに関係してもよい。さらに他の実施形態によると、携帯メディアプレーヤ装置から周辺装置へイメージデータを転送する工程は、携帯メディアプレーヤ装置と周辺装置との間の無線リンクを介してイメージデータを転送する工程を含む。
【００１３】
本発明の一の実施形態では、携帯メディアプレーヤ装置は、テキストに対応する文字データをイメージデータへ変換するためのテキスト−イメージ変換器、及びイメージデータを携帯メディアプレーヤ装置から周辺装置へ転送するための通信回路を含む。テキスト−イメージ変換器はさらに、周辺装置が備えるディスプレイの特性の特定、及び特定された特性に基づいての文字データのイメージデータへの変換を行うように動作してもよい。例えば、通信回路が、携帯メディアプレーヤ装置と周辺装置との間の無線通信リンクを介して、携帯メディアプレーヤ装置の特性に関連付けられた情報を受信し、その情報をテキスト−イメージ変換器に与えるように動作してもよい。特性に関連付けられた情報は、例えば、ディスプレイの位置、大きさ、性能及び環境の少なくとも１つに関係してもよい。
【００１４】
本発明のさらに他の実施形態によれば、携帯メディアプレーヤ装置の周辺装置は、ディスプレイと、イメージデータを携帯メディアプレーヤ装置から受信するための通信回路と、ディスプレイ及び通信回路と連携して動作し、イメージデータの受信に応じてイメージをディスプレイに表示する表示制御装置とを含む。通信回路はさらに、ディスプレイの特性に関連付けられた情報を携帯メディアプレーヤ装置に転送するように動作してもよい。
【００１５】
本発明のさらに他の実施形態では、携帯メディアプレーヤ装置の周辺装置をサポートするコンピュータプログラムが提供される。コンピュータプログラムは、コンピュータで読み取り可能な記録媒体に具現されたコンピュータ・プログラム・コードを含む。コンピュータ・プログラム・コードは、テキストをイメージデータに変換するためのコード、及び携帯メディアプレーヤ装置から周辺装置へのイメージデータの転送を行うためのコードを含む。コンピュータ・プログラム・コードはさらに、周辺装置のディスプレイの特性を特定するためのコードを含んでもよい。テキストをイメージデータに変換するためのコードは、特定された特性に基づいてテキストをイメージデータに変換するためのコードを含んでもよい。
【００１６】
本発明のさらに他の実施形態では、テキストは、携帯電子装置と通信する周辺装置に表示される。テキストに対応する文字データがイメージデータに変換され、そのイメージデータが携帯電子装置から周辺装置へ転送される。周辺装置のディスプレイへ転送されたイメージデータに基づいて、テキストのイメージが生成される。テキストに対応する文字データのイメージデータへの変換は、ディスプレイの特性の特定に先行されてもよく、テキストに対応する文字データのイメージデータへの変換は、特定された特性に基づいて変換されてもよい。携帯電子装置は音楽プレーヤでもよく、テキストはメディアコンテンツ情報を含んでもよい。
【発明を実施するための最良の形態】
【００１７】
以下では、本発明の実施形態を例示する添付図面を参照しながら、本発明についてより十分に説明する。しかしながら、本発明は多くの異なった形態において実施されてもよく、以下に説明する実施形態に限定されるものでないことが理解されよう。これらの実施形態は、むしろ、本開示が徹底的かつ十分であり、また当業者に本発明の範囲を十分に伝えることを期して提示されるものである。全体を通して同様の番号は同様の要素を指す。以下での用法では、用語「及び／又は」は、付随してリストされた事項の1つ以上の任意及びすべての組み合わせを含む。
【００１８】
以下で使用されるすべての用語（技術用語及び科学用語を含む。）は、そうでない旨が明記されない限り、当業者が通常理解するのと同じ意味を持つ。用語は、普通に使われる辞書に規定される用語であっても、関連技術分野の文脈における意味と一貫した意味を持つものとして解釈されるべきであり、以下で明示的にそう指定されない限り、理想化又は過度に形式化して解釈されるべきではないことがさらに理解されよう。
【００１９】
以下では、種々の構成要素の説明に第１及び第２という用語を使う場合があるが、これらの構成要素がこの用語によって限定されるものでないことが理解されよう。この用語は、構成要素を他の構成要素から区別するためにのみ使われる。したがって、例えば、以下で議論される第１の構成要素が、第２の構成要素と命名されることもあり得るが、これにより本発明の教示から逸脱するものではない。
【００２０】
本発明について、本発明の実施形態による携帯電話機、通信ネットワーク、及びその動作のフローチャートとブロック図とを参照して説明する。フローチャート及び／又はブロック図の各ブロックと、ブロックの組み合わせとは、コンピュータプログラム命令によって実装されてもよいことが理解されよう。これらのコンピュータプログラム命令は、プロセッサ又は汎用コンピュータ、専用コンピュータ、又は他のマシーンを実現するためのプログラム可能なデータ処理装置に対して、それらの命令がフローチャート及び／又は１つあるいは複数の概略ブロックで規定される機能を実装する手段を創り出すように、与えられることがあってもよい。それらの命令は、コンピュータ又は他のプログラム可能なデータ処理装置のプロセッサを介して実行される。
【００２１】
本発明が、例えばセルラー電話ネットワーク等の通信ネットワーク、及びヘッドセットや他の「ハンズフリー」装置等の機能強化された周辺装置と通信するように構成された、多種多様な通信端末のいずれについて実施されてもよいということが理解されよう。本明細書で記載する場合、通信端末は以下のものを含むが、これらに限定されるものではない。これらの通信端末は、セルラー無線電話（複数行表示付き又は無し）、固定電話（回線交換又はパケット網）、データ処理機能、ファクシミリ機能及びデータ通信機能を電話（無線又はそれ以外の）に一体化したパーソナル通信システム（Personal Communications System、ＰＣＳ）端末、移動端末、ポケベル、インターネット／イントラネットへのアクセス、ウェブブラウザ、スケジュール管理、カレンダ及び／又はグローバル測位システム（Global Positioning System、ＧＰＳ）の受信機を含みうる携帯情報端末(Personal Data Assistant、ＰＤＡ)、及び、従来のラップトップ及び／又はパームトップの受信機や、他の電話機を含む全ての装置を含む。
【００２２】
本発明の様々な実施形態において、通信端末（例えば、移動電話）でテキストがイメージデータへ変換され、そのイメージデータ（例えば、ビットマップ又は、ＪＰＥＧやＧＩＦファイル等のグラフィック標準データセット）が周辺装置（例えば、ハンドセット又は他のハンズフリー装置）へ転送される。さらに、周辺装置は、転送されたイメージデータからイメージを生成する。例えば、テキスト処理が、通信端末に表示を生成するために使用される同じテキスト処理機能を使って通信端末で実行されてもよい。その結果、周辺装置ではテキスト処理の必要性が省かれてもよい。これは、とりわけ周辺装置の複雑性を低減し、即ちコストを低減しうる。本発明の他の特徴によれば、周辺装置が、当該周辺装置の表示領域の大きさ等の表示特性に関する情報を送信してもよい。この場合、通信端末は、ディスプレイの特性情報に応じて、文字データからイメージを生成してもよい。周辺装置はディスプレイのテキスト内容には関知する必要がないので、テキスト及び非テキストのグラフィック情報が一緒に伝達されることがあってもよい。
【００２３】
図１は、本発明の一の実施形態に係る装置及び動作を示す図である。通信端末１１０は、周辺装置１２０と通信するように構成された通信回路１１２を含む。通信端末１１０はさらに、例えば、文字データ１１３をイメージデータ１１５へ変換するように構成されたテキスト−イメージ変換器１１４を含む。テキスト−イメージ変換器１１４は、ＡＳＣＩＩ又は他の非イメージ文字表現等の文字データ１１３を、例えば、ビットマップ、ＪＰＥＧファイル、ＧＩＦファイル又は他のイメージ表現等のイメージデータ１１５へ変換する変換器。イメージデータ１１５は、通信回路１１２によって周辺装置１２０へ送信される。周辺装置１２０は、ディスプレイ１２４及び表示制御装置１２２を含む。表示制御装置１２２は、転送されたイメージデータ１１５に応じて、ディスプレイ１２４上にイメージを生成（表示）する。
【００２４】
通信端末１１０が、多種多様な通信端末のいずれであってもよいことが理解されよう。通信端末には、携帯電話機、固定電話機、又は、通信端末としても使える無線機能付きＰＤＡ等の通信機能を備えた装置が含まれるが、それらに限定されるものではない。テキスト−イメージ変換器１１４は、多種多様な電子回路のいずれを使って実装されてもよい。電子回路には、プログラムされたマイクロプロセッサ、マイクロコントローラ、又は、他のデータ処理回路及び／又は同様の機能を提供するデジタル回路が含まれる。周辺装置１２０もまた、多種多様な形態のいずれであってもよい。多種多様な形態には、ヘッドセット又は乗物用のハンズフリー装置が含まれるが、これらに限定されるものではない。ディスプレイ１２４は、例えば、カラー又はモノクロの液晶ディスプレイ（ＬＣＤ）、又は、他のディスプレイ装置であってよい。表示制御装置１２２は、多種多様な電子回路のいずれを使って実装されてもよい。電子回路には、プログラムされたマイクロプロセッサ、マイクロコントローラ、又は、他のデータ処理回路及び／又は同様の機能を提供するデジタル及び／又はアナログ回路が含まれる。
【００２５】
図２は、本発明の一の実施形態に係る無線アプリケーションの実装例を示す図である。移動電話機２１０は、アンテナ２１１を介して無線ネットワークと通信する移動通信回路２１２を含む。移動電話機２１０はまた、移動通信回路２１２、キーパッド２１８、ディスプレイ２１７及び音声回路２１６（例えば、マイクロホン、スピーカ及び関連回路）、と連携して動作するプロセッサ２１３を含む。移動電話機２１０はさらに、これもまたプロセッサ２１３と連携して動作するブルートゥース（Bluetooth：登録商標、ＢＴ）インタフェース回路２１５を含む。プロセッサ２１３は、テキスト−イメージ変換器２１４を提供するよう、例えば、上述したように行に沿って文字データからイメージデータへの変換を行うプログラムコードを実行するように構成される。プロセッサ２１３は、発呼者ＩＤ、呼状態、等のテキスト情報に応じて、例えば、ビットマップ、ＪＰＥＧファイル、ＧＩＦファイル等のイメージデータをブルートゥースインタフェース回路２１５へ伝達する。ブルートゥースインタフェース回路２１５は、イメージデータをハンズフリー装置２２０へ転送する。
【００２６】
ハンズフリー装置２２０（例えば、ヘッドセット又は乗物用のハンズフリー装置）は、音声回路２２２、表示生成器（表示制御装置）２２３及びディスプレイ２２４を含む。ハンズフリー装置はさらに、移動電話機２１０のブルートゥースインタフェース回路２１５によって転送されるイメージデータを受信する相補的なブルートゥースインタフェース回路２２１を含む。ブルートゥースインタフェース回路２２１は、受信したイメージデータを表示制御装置２２３に与える。これに応じて、表示制御装置２２３はディスプレイ２２４にイメージを生成する。
【００２７】
さらに図示されるように、ハンズフリー装置２２０の表示制御装置２２３とブルートゥースインタフェース回路２２１はさらに、ブルートゥースインタフェース回路２１５を介してディスプレイ情報を移動電話機２１０に与えるように動作してもよい。ディスプレイ情報は、例えば、ディスプレイ２２４の位置及び／又は表示領域の大きさに関する情報、ディスプレイ２２４の表示性能（例えば、モノクロかカラーか）に関する情報、及び／又はディスプレイ２２４の表示環境（例えば、昼光か低光状態か）に関する情報を含んでもよい。プロセッサ２１３のテキスト−イメージ変換器２１４は、ハンズフリー装置に転送されたイメージデータをそのようなディスプレイ情報に応じて生成するように構成されてもよい。このように、例えば、テキスト−イメージ変換器２１４は、ハンズフリー装置２２０のディスプレイ２２４に合うように、特定の位置、大きさ、カラー、光強度又は他の基準に適合するイメージデータを生成してもよい。
【００２８】
図３は、本発明の一の実施形態に係る端末と通信する周辺装置へテキストを伝達する動作例を示す図である。通信端末は、テキストに対応する文字データをイメージデータへ変換する（ブロック３１０）。例えば、通信端末は、ＡＳＣＩＩデータ又は他の非イメージ文字データをビットマップ、ＪＰＥＧ、ＧＩＦ又は他のイメージデータ形式へ変換してもよい。通信端末は、生成されたイメージデータを周辺装置へ転送する（ブロック３２０）。周辺装置はこれに応じて、転送されたイメージデータからイメージをディスプレイに生成する（ブロック３３０）。
【００２９】
図４は、本発明の実施形態に係る他の例を示す図である。ここでは、イメージデータが、通信端末の周辺装置のディスプレイに関するディスプレイ情報に基づいて生成されうる。ディスプレイの特性情報は周辺装置から通信端末へ転送される（ブロック４１０）。ディスプレイの特性情報が、ディスプレイの表示領域（複数あってもよい）の大きさ及び／又は位置、カラー対応かモノクロ対応か等のディスプレイの性能、及び／又はそのときディスプレイの環境に十分な光がある等、ディスプレイの環境特性に関していてもよい。通信端末は、ディスプレイの特性情報に基づいて文字データをイメージデータへ変換する（ブロック４２０）。例えば、周辺装置のディスプレイにおける表示領域の大きさの情報を使って、通信端末は、適切なアスペクト比、精細度及び／又は他のディスプレイに望ましいイメージを与える特性を持つビットマップを生成してもよい。性能情報を使って、通信端末は、ディスプレイの性能に合わせて、例えば、カラー又はグレースケールを与えてもよい。通信端末は、生成されたイメージデータを、例えば、無線、光又は有線通信リンクを使って、周辺装置へ転送する（ブロック４３０）。周辺装置はこれに応じて、転送されたイメージデータに基づいてイメージをディスプレイに生成する（ブロック４４０）。
【００３０】
図５は、本発明の他の実施形態に係るメディアプレーヤアプリケーションの実装例を示す図である。携帯メディアプレーヤ装置、例えば、音楽プレーヤ５１０は、処理装置５１３にアクセスされる記録媒体５１２（例えば、フラッシュメモリ、磁気ディスク及び／又は光ディスク駆動装置）を含む。ここで、処理装置５１３もまた、キーパッド５１８、ディスプレイ５１７及び音声回路５１６（例えば、マイクロホン、スピーカ及び関連回路）と連携して動作する。音楽プレーヤ５１０はさらに、これもまた処理装置５１３と連携して動作するブルートゥース（ＢＴ）インタフェース回路５１５を含む。処理装置５１３はテキスト−イメージ変換器５１４を提供するように構成される。例えば、行に沿って文字データからイメージデータへの変換を行うプログラムコードを実行するように構成される。処理装置５１３は、ビットマップ、ＪＰＥＧファイル、ＧＩＦファイル等のイメージデータを、内容タイトル、著者／制作者／演奏者名等の、例えば、メディアコンテンツ識別情報のテキスト情報に応じて、イメージデータを周辺装置５２０へ転送するブルートゥース（ＢＴ）インタフェース回路５１５へ伝達する。
【００３１】
周辺装置５２０（ヘッドセット等）は音声回路５２２、表示生成装置５２３及びディスプレイ５２４を含む。周辺装置５２０はさらに、音楽プレーヤ５１０のブルートゥースインタフェース回路５１５によって転送されたイメージデータを受信する相手となるブルートゥースインタフェース回路５２１を含む。ブルートゥースインタフェース回路５２１は受信されたイメージデータを表示制御装置５２３に与え、表示制御装置５２３はこれに応じて、ディスプレイ５２４に表示するイメージを生成する。
【００３２】
さらに図示されるように、周辺装置５２０の表示制御装置５２３とブルートゥースインタフェース回路５２１はさらに、ブルートゥースインタフェース回路５１５を介してディスプレイ情報を音楽プレーヤ５１０に提供してもよい。ディスプレイ情報は、例えば、ディスプレイ５２４の位置及び／又は表示領域の大きさに関する情報、ディスプレイ５２４の表示性能（例えば、モノクロかカラーか）に関する情報、及び／又はディスプレイ５２４の表示環境（例えば、昼光か低光状態か）に関する情報を含んでもよい。処理装置５１３のテキスト−イメージ変換器５１４は、周辺装置に転送されたイメージデータをそのようなディスプレイ情報に応じて生成するように構成されてもよい。このように、例えば、テキスト−イメージ変換器５１４は、周辺装置５２０のディスプレイ５２４に合うように、特定の位置、大きさ、カラー、光強度又は他の基準に適合するイメージデータを生成してもよい。
【００３３】
図６は、本発明の一の実施形態に係る音楽プレーヤ５１０等の携帯メディアプレーヤ装置と通信を行う周辺装置へテキストを伝達する動作例を示す図である。音楽プレーヤ５１０はテキストに対応する文字データをイメージデータへ変換する（ブロック６１０）。例えば、音楽プレーヤ５１０は、ＡＳＣＩＩデータ又は他の非イメージ文字データを、ビットマップ、ＪＰＥＧ、ＧＩＦ又は他のイメージデータ形式に変換してもよい。音楽プレーヤ５１０は、生成されたイメージデータを、例えば、無線又は有線通信リンクを使って、周辺装置へ転送する（ブロック６２０）。周辺装置はこれに応じて転送されたイメージデータからイメージをディスプレイに生成する（ブロック６３０）。
【００３４】
図１乃至図６の装置及び動作が、本発明の範囲内で変更及び／又は強化されることがあってもよいことが理解されよう。例えば、通信端末又は携帯メディアプレーヤ装置は、文字データのイメージデータへの変換に加えて、結果としての文字イメージをアイコン等の非文字グラフィックスと結びつけることもできよう。さらに他の実施形態では、通信端末又は携帯メディアプレーヤ装置から周辺装置へ転送されるイメージデータが、イメージが表示される位置及び／又は方法を提示する等の制御情報を伴うことも可能であろう。例えば、通信端末又は携帯メディアプレーヤ装置から周辺装置へ転送されるイメージデータセットは、各イメージデータセットが周辺装置のディスプレイにおける複数の表示領域のいずれに表示されるべきかを提示する予め決められた標識を付されることも可能であろう。例えば、発呼者ＩＤ及び呼状態それぞれの領域用のイメージデータセットはそれぞれの標識によって識別されることも可能であろうし、及び／又はそれぞれのデータセットがそれぞれの文字に対して通信端末に生成され、イメージデータセットを受信する周辺装置が適切な文字領域にイメージデータを表示できるよう標識を付されることがあってもよい。メディアコンテンツ情報のクラスに対応する同様のイメージデータセットが携帯メディアプレーヤ装置で使われることがあってもよい。
【００３５】
さらに他の実施形態では、周辺装置はまたイメージに基づく転送及び従来からの文字データ能力の両方を提供するように構成されることもあり得よう。例えば、周辺装置はある言語（例えば、英語、スペイン語、フランス語、ドイツ語等）について従来からの文字データ転送及び表示技術を使い、使用が比較的限定される及び／又は比較的大きい文字セットの他の言語（中国語等）には、上述したようにイメージデータに基づくテキスト転送及び表示生成を使うこともできよう。そのような技術を使うことにより、例えば、周辺装置が限定された数の文字セットを格納する一方でそれらの文字セットに含まれない言語のアプリケーションにも使用可能とすることもできよう。
【００３６】
本開示に示す利点を前提とするならば、当業者であれば、本発明の真の趣旨及び範囲から逸脱することなく、多くの別案及び変更案を考えることができよう。したがって、例示された実施形態は単に例示を目的とするものであり、請求項で規定される本発明を限定するものと解されるべきでないことが理解されよう。したがって、請求項は、表現された文字どおりの要素の組み合わせのみでなく、実質的に同じ結果を得るべく実質的に同じ機能を実質的に同じ方法で実行するすべての同等の要素を含むものとして読まれるべきである。このように、請求項は、上記に明確に示され説明されたこと、概念的に等価であること、及び本発明の本質的なアイデアを含むこと、を含むものとして理解されよう。
【図面の簡単な説明】
【００３７】
【図１】、
【図２】本発明の一の実施形態に係る例示的な通信端末と周辺装置の概略を示す図である。
【図３】、
【図４】本発明の他の実施形態に係る通信端末と周辺装置との間でテキストを伝達する例示的動作を示すフローチャートである。
【図５】本発明の他の実施形態に係る例示的な音楽プレーヤと周辺装置の概略を示す図である。
【図６】本発明の他の実施形態に係る音楽プレーヤと周辺装置との間でテキストを伝達する例示的動作を示すフローチャートである。
【図１】
2008521079.tif 000003
【図２】
2008521079.tif 000004
【図３】
2008521079.tif 000005
【図４】
2008521079.tif 000006
【図５】
2008521079.tif 000007
【図６】
2008521079.tif 000008
【手続補正書】
【提出日】平成18年9月16日(2006.9.16)
【手続補正１】
【補正対象書類名】特許請求の範囲
【補正対象項目名】全文
【補正方法】変更
【補正の内容】
【特許請求の範囲】
【請求項１】
携帯電子装置と通信を行う周辺装置にテキストを伝達するための方法であって、
前記テキストに対応する文字データをイメージデータに変換する工程と、
前記携帯電子装置から前記周辺装置に前記イメージデータを送信する工程と
を含む方法。
【請求項２】
前記テキストに対応する文字データをイメージデータに変換する工程に先だって、前記周辺装置のディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項１に記載の方法。
【請求項３】
前記周辺装置のディスプレイの特性を特定する工程は、前記携帯電子装置と前記周辺装置との間の無線通信リンクを介して、該携帯電子装置の特性に関連付けられた情報を受信する工程を含むことを特徴とする請求項２に記載の方法。
【請求項４】
前記携帯電子装置は通信端末を含むことを特徴とする請求項１に記載の方法。
【請求項５】
前記送信されたイメージデータから前記周辺装置のディスプレイにイメージを生成する工程をさらに含むことを特徴とする請求項４に記載の方法。
【請求項６】
前記イメージデータは、ビットマップ及びグラフィック標準データセットの少なくとも１つを含むことを特徴とする請求項４に記載の方法。
【請求項７】
前記テキストに対応する文字データをイメージデータに変換する工程に先立って、前記ディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項４に記載の方法。
【請求項８】
前記周辺装置のディスプレイの特性を特定する工程は、前記通信端末と前記周辺装置との間の無線通信リンクを介して、該通信端末で前記特性に関連付けられた情報を受信する工程を含むことを特徴とする請求項７に記載の方法。
【請求項９】
前記特性に関連付けられた情報は、前記ディスプレイの位置、大きさ、性能及び環境の少なくとも１つに関係することを特徴とする請求項８に記載の方法。
【請求項１０】
前記携帯電子装置から前記周辺装置に前記イメージデータを送信する工程は、前記通信端末と前記周辺装置との間の無線通信リンクを介して前記イメージデータを送信する工程を含むことを特徴とする請求項４に記載の方法。
【請求項１１】
前記テキストが呼情報であることを特徴とする請求項４に記載の方法。
【請求項１２】
前記携帯電子装置は携帯メディアプレーヤ装置を含むことを特徴とする請求項１に記載の方法。
【請求項１３】
前記送信されたイメージデータから前記周辺装置のディスプレイにイメージを生成する工程をさらに含むことを特徴とする請求項１２に記載の方法。
【請求項１４】
前記イメージデータは、ビットマップ及びグラフィック標準データセットの少なくとも１つを含むことを特徴とする請求項１２に記載の方法。
【請求項１５】
前記テキストに対応する文字データをイメージデータに変換する工程に先だって、前記周辺装置のディスプレイの特性を特定する工程を含み、
前記テキストに対応する文字データをイメージデータに変換する工程は、前記特定された特性に基づいて前記文字データをイメージデータに変換する工程を含むことを特徴とする請求項１２に記載の方法。
【請求項１６】
前記周辺装置のディスプレイの特性を特定する工程は、前記携帯メディアプレーヤ装置と前記周辺装置との間の無線通信リンクを介して、該携帯メディアプレーヤ装置の特性に関連付けられた情報を受信する工程を含むことを特徴とする請求項１５に記載の方法。
【請求項１７】
前記特性に関連付けられた情報は、前記ディスプレイの位置、大きさ、性能及び環境の少なくとも１つに関係することを特徴とする請求項１６に記載の方法。
【請求項１８】
前記携帯電子装置から前記周辺装置に前記イメージデータを送信する工程は、前記携帯メディアプレーヤと前記周辺装置との間の無線通信リンクを介して前記イメージデータを送信する工程を含むことを特徴とする請求項１２に記載の方法。
【請求項１９】
前記テキストがメディアコンテンツ識別情報を含むことを特徴とする請求項１２に記載の方法。
【請求項２０】
携帯電子装置であって、
テキストに対応する文字データをイメージデータに変換するためのテキスト−イメージ変換器と、
前記携帯電子装置から周辺装置に前記イメージデータを送信するための通信回路と
を備えることを特徴とする携帯電子装置。
【請求項２１】
前記イメージデータは、ビットマップ及びグラフィック標準データセットの少なくとも１つを含むことを特徴とする請求項２０に記載の携帯電子装置。
【請求項２２】
前記テキスト−イメージ変換器は、さらに、前記周辺装置のディスプレイの特性を特定し、かつ、特定された該特性に基づいて前記文字データをイメージデータに変換するように動作することを特徴とする請求項２０に記載の携帯電子装置。
【請求項２３】
前記携帯電子装置は無線端末を含むことを特徴とする請求項２０に記載の携帯電子装置。
【請求項２４】
前記イメージデータは、ビットマップ及びグラフィック標準データセットの少なくとも１つを含むことを特徴とする請求項２３に記載の携帯電子装置。
【請求項２５】
前記テキスト−イメージ変換器は、さらに、前記周辺装置のディスプレイの特性を特定し、かつ、特定された該特性に基づいて前記文字データをイメージデータに変換するように動作することを特徴とする請求項２３に記載の携帯電子装置。
【請求項２６】
前記通信回路は、さらに、
前記無線端末と前記周辺装置との間の無線通信リンクを介して前記無線端末の特性に関連付けられた情報を受信し、前記情報を前記テキスト−イメージ変換器に提供するように動作することを特徴とする請求項２５に記載の携帯電子装置。
【請求項２７】
前記特性に関連付けられた情報は、前記ディスプレイの位置、大きさ、性能及び環境の少なくとも１つに関係することを特徴とする請求項２６に記載の携帯電子装置。
【請求項２８】
前記通信回路は、
前記無線端末と前記周辺装置との間の無線リンクをサポートすることを特徴とする請求項２３に記載の携帯電子装置。
【請求項２９】
前記テキストが呼情報を含むことを特徴とする請求項２３に記載の携帯電子装置。
【請求項３０】
前記携帯電子装置は携帯メディアプレーヤ装置を含むことを特徴とする請求項２０に記載の携帯電子装置。
【請求項３１】
前記イメージデータは、ビットマップ及びグラフィック標準データセットの少なくとも１つを含むことを特徴とする請求項３０に記載の携帯電子装置。
【請求項３２】
前記テキスト−イメージ変換器は、さらに、前記周辺装置のディスプレイの特性を特定し、かつ、特定された該特性に基づいて前記文字データをイメージデータに変換するように動作することを特徴とする請求項３０に記載の携帯電子装置。
【請求項３３】
前記通信回路は、さらに、
前記携帯メディアプレーヤ装置と前記周辺装置との間の無線通信リンクを介して前記携帯メディアプレーヤ装置の特性に関連付けられた情報を受信し、前記情報を前記テキスト−イメージ変換器に提供するように動作することを特徴とする請求項３２に記載の携帯電子装置。
【請求項３４】
前記特性に関連付けられた情報は、前記ディスプレイの位置、大きさ、性能及び環境の少なくとも１つに関係することを特徴とする請求項３３に記載の携帯電子装置。
【請求項３５】
前記通信回路は、
前記携帯メディアプレーヤ装置と前記周辺装置との間の無線リンクをサポートすることを特徴とする請求項３０に記載の携帯電子装置。
【請求項３６】
前記テキストがメディアコンテンツ識別情報を含むことを特徴とする請求項３０に記載の携帯電子装置。
【請求項３７】
携帯電子装置のための周辺装置であって、
ディスプレイと、
前記携帯電子装置からイメージデータを受信するための通信回路と、
前記ディスプレイ及び前記通信回路と連携して動作し、前記受信したイメージデータに応じてイメージをディスプレイに表示するための表示制御装置と
を備えることを特徴とする周辺装置。
【請求項３８】
前記通信回路は、さらに、
前記ディスプレイの特性に関連付けられた情報を前記携帯電子装置に送信するように動作することを特徴とする請求項３７に記載の周辺装置。
【請求項３９】
前記携帯電子装置は通信端末を含むことを特徴とする請求項３７に記載の周辺装置。
【請求項４０】
前記イメージデータは、ビットマップ及びグラフィック標準データセットの少なくとも１つを含むことを特徴とする請求項３９に記載の周辺装置。
【請求項４１】
前記通信回路は、さらに、
前記ディスプレイの特性に関連付けられた情報を前記通信端末に送信するように動作することを特徴とする請求項３９に記載の周辺装置。
【請求項４２】
前記特性は、ディスプレイの位置、大きさ、性能及び環境の少なくとも１つに関係することを特徴とする請求項４１に記載の周辺装置。
【請求項４３】
前記通信回路は、
前記通信端末と前記周辺装置との間の無線通信リンクをサポートすることを特徴とする請求項３９に記載の周辺装置。
【請求項４４】
前記携帯電子装置は携帯メディアプレーヤ装置を含むことを特徴とする請求項３７に記載の周辺装置。
【請求項４５】
前記イメージデータは、ビットマップ及びグラフィック標準データセットの少なくとも１つを含むことを特徴とする請求項４４に記載の周辺装置。
【請求項４６】
前記通信回路は、さらに、
前記ディスプレイの特性に関連付けられた情報を前記携帯メディアプレーヤ装置に送信するように動作することを特徴とする請求項４４に記載の周辺装置。
【請求項４７】
前記特性は、ディスプレイの位置、大きさ、性能及び環境の少なくとも１つに関係することを特徴とする請求項４６に記載の周辺装置。
【請求項４８】
前記通信回路は、
前記携帯メディアプレーヤ装置と前記周辺装置との間の無線通信リンクをサポートすることを特徴とする請求項４４に記載の周辺装置。
【請求項４９】
携帯電子装置の周辺装置をサポートするためのコンピュータで実行可能なコンピュータプログラムであって、
テキストをイメージデータに変換する工程と、
前記携帯電子装置から前記周辺装置へ前記イメージデータを送信する工程と
を含むことを特徴とするコンピュータプログラム。
【請求項５０】
前記周辺装置のディスプレイの特性を特定する工程をさらに含み、
前記テキストをイメージデータに変換する工程は、前記特定された特性に基づいて前記文字データをイメージデータに変換する工程を含むことを特徴とする請求項４９に記載のコンピュータプログラム。
【請求項５１】
前記イメージデータは、ビットマップ及びグラフィック標準データセットの少なくとも１つを含むことを特徴とする請求項５０に記載のコンピュータプログラム。
【請求項５２】
前記携帯電子装置は通信端末を含むことを特徴とする請求項４９に記載のコンピュータプログラム。
【請求項５３】
前記イメージデータは、ビットマップ及びグラフィック標準データセットの少なくとも１つを含むことを特徴とする請求項５２に記載のコンピュータプログラム。
【請求項５４】
前記周辺装置のディスプレイの特性を特定する工程を含み、
前記テキストをイメージデータに変換する工程は、前記特定された特性に基づいて前記文字データをイメージデータに変換する工程を含むことを特徴とする請求項５２に記載のコンピュータプログラム。
【請求項５５】
前記携帯電子装置は携帯メディアプレーヤ装置を含むことを特徴とする請求項４９に記載のコンピュータプログラム。
【請求項５６】
前記イメージデータは、ビットマップ及びグラフィック標準データセットの少なくとも１つを含むことを特徴とする請求項５５に記載のコンピュータプログラム。
【請求項５７】
前記周辺装置のディスプレイの特性を特定する工程をさらに含み、
前記テキストをイメージデータに変換する工程は、前記特定された特性に基づいて前記文字データをイメージデータに変換する工程を含むことを特徴とする請求項５５に記載のコンピュータプログラム。
【請求項５８】
携帯電子装置と通信を行う周辺装置でテキストを表示するための方法であって、
前記テキストに対応する文字データをイメージデータに変換する工程と、
前記携帯電子装置から前記周辺装置に前記イメージデータを送信する工程と、
前記送信されたイメージデータに基づいて前記周辺装置のディスプレイにテキストイメージを生成する工程と
を含むことを特徴とする方法。
【請求項５９】
前記テキストに対応する文字データをイメージデータに変換する工程に先立って、前記ディスプレイの特性を特定する工程をさらに含み、
前記テキストに対応する文字データをイメージデータに変換する工程は、前記特定された特性に基づいて前記文字データをイメージデータに変換する工程を含むことを特徴とする請求項５８に記載の方法。
【請求項６０】
前記携帯電子装置は音楽プレーヤを含み、前記テキストはメディアコンテンツ情報を含むことを特徴とする請求項５８に記載の方法。
【請求項６１】
前記携帯電子装置は通信端末を含むことを特徴とする請求項５８に記載の方法。
【手続補正２】
【補正対象書類名】明細書
【補正対象項目名】０００４
【補正方法】変更
【補正の内容】
【０００４】
世界中の異なる言語に対して異なる文字セット、例えば、漢字、タイ文字、ローマ字、キリル文字、及びアラビア文字セットが使用される。これらの文字セットには非常に大容量のものもある。したがって、広範な言語に利用可能であるためには、周辺装置は膨大な量の文字セットのグラフィックデータを格納する能力を必要としうる。しかし、そのような記憶容量を周辺装置に設けることは、実現可能でなかったり、費用対効果が良くなかったりする場合もある。さらに、通信端末での表示と同じ方法で文字を表示するのに必要とされうるテキスト処理を実行するための十分な処理能力を周辺装置に持たせることが、実現可能でなかったり、費用対効果が良くなかったりする場合もある。欧州特許第１０５９８０９号明細書及び欧州特許第０９９９６７８号明細書には、テレビ放送のような移動通信端末と周辺装置との間で通信を行うための技術が示されている。
【国際調査報告】
2008521079.tif 000009
2008521079.tif 000010
2008521079.tif 000011